(57)【要約】【課題】画面に表示されたアイコンに対して直接的な操作入力をすることで、所望とする各種設定並びにその変更を簡易且つ迅速に行うことを可能とする。【解決手段】この撮像装置は、少なくとも撮像画像を表示する表示部５と、操作入力をするための操作入力部３と、表示部５に設定に係るアイコンを表示するアイコン表示機能２ａ、該アイコンが操作入力部３により選択された場合に上記アイコンの設定を選択する所定のサブメニューを表示するサブメニュー表示機能２ｂ、該サブメニューより所望とする設定を選択するように促す主制御機能２ｃを有する制御部１とを備えた。【選択図】      図１
2009010775.tif 000002
【特許請求の範囲】
【請求項１】
少なくとも画像並びに所定の設定に係るアイコンを表示する表示手段と、
操作入力をするための操作入力手段と、
上記表示手段に表示されたアイコンが上記操作入力手段により選択された場合に、該アイコンの設定を選択するための所定のサブメニューを上記表示手段に表示し、該サブメニューより所望とする設定項目を選択するように促す制御手段とを備えた
ことを特徴とする画像表示装置。
【請求項２】
上記操作入力手段はタッチパネルであり、
上記表示手段に表示された上記アイコンに対して上記タッチパネルの対応位置を押下することで該アイコンを直接的に選択すると、上記制御手段は、当該選択を検出し、該アイコンに係るサブメニューを上記表示手段に表示する
ことを特徴とする請求項１に記載の画像表示装置。
【請求項３】
被写体像を撮像し画像信号を得る撮像手段と、
少なくとも上記撮像手段により得られた画像信号に基づく撮像画像並びに所定の設定に係るアイコンを表示する表示手段と、
操作入力をするための操作入力手段と、
上記表示手段に表示されたアイコンが上記操作入力手段により選択された場合に、該アイコンの設定を選択するための所定のサブメニューを上記表示手段に表示し、該サブメニューより所望とする設定項目を選択するように促す制御手段とを備えた
ことを特徴とする撮像装置。
【請求項４】
上記操作入力手段はタッチパネルであり、
上記表示手段に表示された上記アイコンに対して上記タッチパネルの対応位置を押下することで該アイコンを直接的に選択すると、上記制御手段は、当該選択を検出し、該アイコンに係るサブメニューを上記表示手段に表示する
ことを特徴とする請求項３に記載の撮像装置。
【請求項５】
表示手段に設定に係るアイコンを表示するステップと、
該アイコンが操作入力手段により選択された場合に上記アイコンの設定を選択するための所定のサブメニューを上記表示手段に表示するステップと、
該サブメニューより所望とする設定を選択するように促すステップとを備えた
ことを特徴とする画像表示方法。
【請求項６】
コンピュータが、
表示手段に設定に係るアイコンを表示するアイコン表示手段と、
該アイコンが操作入力手段により選択された場合に上記アイコンの設定を選択するための所定のサブメニューを上記表示手段に表示するサブメニュー表示手段と、
該サブメニューより所望とする設定を選択するように促す主制御手段として機能する
ことを特徴とするプログラム。
【発明の詳細な説明】
【技術分野】
【０００１】
本発明は、画像表示装置等に係り、特に画面に表示されたアイコンを参照しながら各種設定を行う画像表示装置、撮像装置、画像表示方法、プログラムに関する。
【背景技術】
【０００２】
従来、デジタルスチルカメラやデジタルビデオカメラ等の撮像装置は、ＬＣＤ(Liquid Crystal Display)等の液晶パネルを備えている。従って、ユーザは、該液晶パネルに表示された撮像画像（スルー画像）を確認することで、所望とする構図での撮影をすることができることになる。さらに、該液晶パネルでは、撮像画像のみならず、各種設定に係る所定のアイコンをも表示可能となっている。
【０００３】
さらに、今日では、タッチパネル等の操作入力手段を備えた撮像装置も存在する。この場合、液晶パネルのディスプレイにタッチパネルが重畳されてタッチスクリーンを構成することになる。このような構成の下では、ユーザは該タッチパネルのアイコンをタップすることで、所定の操作入力を行うことができる。
【０００４】
この種の技術については、例えば特許文献１では、表示パネル上にタッチパネルが重ねて配され、該タッチパネル上の各種の操作ボタンを操作することで対応する機能が行われる撮像装置が開示されている。尚、この各種ボタンとしては、オート釦、メニュー釦、フラッシュ釦、タイマ釦、マクロ釦、画面サイズ設定釦等が開示されている。
【０００５】
【特許文献１】特開２００２−１９６６６７号公報
【発明の開示】
【発明が解決しようとする課題】
【０００６】
しかしながら、従来技術では、タッチスクリーンに表示されたアイコンは、各種設定の状況を示すものであって、当該アイコンに対してタッチパネルを介して直接的に操作入力を行い、各アイコンが指標している設定の内容を変更することはなされていない。
【０００７】
即ち、各アイコンに係る設定を変更する場合には、先ず、別途設けられた操作ボタン等を操作して設定画面を読み出し、該設定画面を液晶パネルに表示させ、当該設定画面を参照しながら所望とする設定を選び、操作入力をする必要があった。
【０００８】
そこで、本発明は、別途設けられた操作ボタン等を操作することなく、画面に表示されたアイコンに対して直接的な操作入力を行うことで、該アイコンが指標する各種設定並びにその変更等を簡易且つ迅速に行うことができるようにし、ユーザの利便性を向上することを課題とする。
【課題を解決するための手段】
【０００９】
本発明の第１の観点に係る画像表示装置によれば、表示手段が、少なくとも画像並びに所定の設定に係るアイコンを表示し、操作入力手段が、操作入力を受け付ける。そして、制御手段が、上記表示手段に表示されたアイコンが上記操作入力手段により選択された場合に、該アイコンの設定を選択するための所定のサブメニューを上記表示手段に表示し、該サブメニューより所望とする設定項目を選択するように促すことになる。
【００１０】
従って、操作入力手段によりアイコンを直接的に選択することで、該アイコンの設定に係るサブメニューが表示されることになる。
【００１１】
尚、この第１の観点において、上記操作入力手段をタッチパネルとし、上記表示手段に表示された上記アイコンに対して上記タッチパネルの対応位置を押下することで該アイコンを直接的に選択すると、上記制御手段は、当該選択を検出し、該アイコンに係るサブメニューを上記表示手段に表示するようにしてもよい。
【００１２】
本発明の第２の観点に係る撮像装置によれば、撮像手段が被写体像を撮像し画像信号を得て、表示手段が少なくとも上記撮像手段により得られた画像信号に基づく撮像画像並びに所定の設定に係るアイコンを表示し、操作入力手段が、操作入力を受け付ける。そして、制御手段が上記表示手段に表示されたアイコンが上記操作入力手段により選択された場合に、該アイコンの設定を選択するための所定のサブメニューを上記表示手段に表示し該サブメニューより所望とする設定項目を選択するように促すことになる。
【００１３】
従って、操作入力手段によりアイコンを直接的に選択することで、該アイコンの設定に係るサブメニューが表示され、撮像動作等に係る各種設定が可能となる。
【００１４】
尚、この第２の観点において、上記操作入力手段をタッチパネルとし、上記表示手段に表示された上記アイコンに対して上記タッチパネルの対応位置を押下することで該アイコンを直接的に選択すると、上記制御手段は、当該選択を検出し、該アイコンに係るサブメニューを上記表示手段に表示するようにしてもよい。
【００１５】
本発明の第３の観点に係る画像表示方法によれば、表示手段に設定に係るアイコンが表示され、該アイコンが操作入力手段により選択された場合に上記アイコンの設定を選択するための所定のサブメニューを上記表示手段に表示され、該サブメニューより所望とする設定を選択するように促されることになる。
【００１６】
従って、アイコンを直接的に選択することで、該アイコンの設定に係るサブメニューが表示されることになる。
【００１７】
本発明の第４の観点に係るプログラムによれば、コンピュータが、表示手段に設定に係るアイコンを表示するアイコン表示手段と、該アイコンが操作入力手段により選択された場合に上記アイコンの設定を選択するための所定のサブメニューを上記表示手段に表示するサブメニュー表示手段と、該サブメニューより所望とする設定を選択するように促す主制御手段として機能することになる。
【００１８】
従って、プログラムに基づくソフトウェア処理により、画面に表示されたアイコンの直接的な選択に基づいて該アイコンの設定に係るサブメニューが表示され、該アイコンに係る各種設定等が可能となる。
【発明の効果】
【００１９】
本発明によれば、別途設けられた操作ボタン等を操作することなく、画面に表示されたアイコンに対して直接的な操作入力を行うことで、該アイコンが指標する各種設定並びにその変更等を簡易且つ迅速に行うことができる、ユーザの利便性が向上された、画像表示装置、撮像装置、画像表示方法、プログラムを提供することができる。
【発明を実施するための最良の形態】
【００２０】
以下、図面を参照して、本発明を実施するための最良の形態（以下、単に実施の形態という）について詳細に説明する。
【００２１】
図１には本発明の第１の実施の形態に係る画像表示装置の構成を示し説明する。
【００２２】
この図１に示されるように、画像表示装置は、全体の制御を司る制御部１と操作入力部３、記憶部４、表示部５からなる。そして、この制御部１は、記憶部４に予め格納されている制御プログラム２を読み出し、それを実行することで、少なくともアイコン表示機能２ａ、サブメニュー表示機能２ｂ、主制御機能２ｃを奏することになる。
【００２３】
尚、制御部１が、これらの機能２ａ乃至２ｃを奏するとき、例えば、アイコン表示手段、サブメニュー表示手段、主制御手段としての役割を果たすことになる。
【００２４】
このような構成において、制御部１は、主制御機能２ｃにより、所定の操作画面１００を表示部５に表示し、更にアイコン表示機能２ａにより、各種設定を指標する複数のアイコン１００ａを表示する。そして、例えばタッチパネルのような操作入力部３がユーザにより操作されて、当該アイコン１００ａのうちの一つが選択されると、制御部１は、サブメニュー表示機能２ｂにより、操作画面１０１の選択されたアイコン１０１ａとの相関が分かるような態様でサブメニュー１０１ｂを表示し、該サブメニュー１０１ｂの中から所望とする設定を選択するようにユーザに促す。こうして、ユーザにより操作入力部３が操作されて、このサブメニュー１０１ｂの中から所望とする設定が選択されると、制御部１は、主制御機能２ｃにより上記アイコンが指標する設定を切り替え、その後、サブメニュー１０１ｂを消し、再び所定の操作画面１００を表示部５に表示することになる。
【００２５】
このように、本発明の第１の実施の形態に係る画像表示装置は、
・操作画面のアイコンに対して直接的に操作入力ができる。
【００２６】
・上記操作入力がなされた場合に設定に係るサブメニューを表示することができる。
【００２７】
・該サブメニューの中から所望とする設定を選択することができる。
といった特徴的な一例の処理を行うことができる。
【００２８】
従って、従来のように、別途設けられた操作ボタンを操作して設定画面を読み出すことなく、操作画面に表示されているアイコンに対して直接的に操作入力をすれば、該アイコンが指標する機能に係る設定用のサブメニューが表示されるので、ユーザは、該サブメニューに表示された設定の中から所望とするものを選択するだけで、簡易且つ迅速にしかも正確に所望とする設定に変更（更新）することが可能となる。即ち、従来技術に比べると別途設けられた操作ボタンを操作する１ステップが省略されることになる。
【００２９】
これにより、単にユーザによる設定操作が簡易になるという効果のみならず、所望とするアイコンに係る設定に直接的に導くことが可能となるので、誤操作、誤設定を防止するという効果も生まれることになる。
【００３０】
次に、本発明の第２の実施の形態について説明する。
【００３１】
図２には本発明の第２の実施の形態に係る撮像装置の構成を示し説明する。
【００３２】
これは、前述した第１の実施の形態に係る画像表示装置をデジタルスチルカメラやデジタルビデオカメラ等の撮像装置に適用したものである。以下、詳述する。
【００３３】
この図２に示されるように、第１の実施の形態に係る撮像装置には、撮影レンズ、絞り、フォーカスレンズ等を概念上含むレンズ部１１が配設されている。そして、このレンズ部１１を介して入射する被写体光の光路上には、ＣＣＤ(Charge Coupled Device)等の撮像素子１２が配置されている。この撮像素子１２の出力は、アナログ信号処理部１３、アナログ／ディジタル(A/D; Analog/Digital)変換部１４を介してディジタル信号処理部１５の入力に接続されている。そして、このディジタル信号処理部１５の出力は、液晶パネル１７、記録デバイス１９の入力に電気的に接続されている。
【００３４】
レンズ部１１には、それを構成する絞りの調整やフォーカスレンズの移動を行うためのアクチュエータ２０が機械的に接続されている。そして、該アクチュエータ２０は、その駆動制御を行うためのモータドライバ２１に接続されている。
【００３５】
さらに、この撮像装置には、全体の制御を司るＣＰＵ(Central Processing Unit)２３が配設されており、該ＣＰＵ２３は、モータドライバ２１、タイミングジェネレータ(TG; Timing Generator)２２、操作部２４、ＥＥＰＲＯＭ(Electrically Erasable Programmable ROM)２５、プログラムＲＯＭ(Read Only Memory)２６、ＲＡＭ(Random Access Memory)２７、タッチパネル１６と接続されている。尚、ＣＰＵ２３がプログラムＲＯＭ２６に格納された制御プログラムを読み出し、実行することで、制御手段、特にアイコン表示手段、サブメニュー表示手段、主制御手段等として機能する。
【００３６】
タッチパネル１６と液晶パネル１７とでタッチスクリーン１８が構成される。
【００３７】
記録デバイス１９は、例えばＤＶＤ(Digital Versatile Disc)等のディスクやメモリカード等の半導体メモリその他のリムーバブルな記録媒体であり、撮像装置本体に対して着脱自在となっている。ＥＥＰＲＯＭ２５は、設定された各種情報その他の電源がオフにされたときも保持すべきデータ等を記憶する為のものである。プログラムＲＯＭ２６は、ＣＰＵ２３が実行するプログラム、該プログラムを実行する上で必要なデータを記憶する為のものである。そして、ＲＡＭ２７は、ＣＰＵ２３が各種処理を実行する際のワークエリアとして必要なプログラムやデータを一時記憶する為のものである。
【００３８】
このような構成において、ＣＰＵ２３は、プログラムＲＯＭ２６に記録されているプログラムを実行することにより撮像装置を構成する各部を制御し、タッチパネル１６からの信号や、操作部２４からの信号に応じて、所定の処理を実行する。操作部２４は、ユーザによって操作されるもので、該操作に対応した信号をＣＰＵ２３に供給する。
【００３９】
すなわち、タッチパネル１６の任意の位置に指が触れる等して押下されると、つまりユーザにより所定の操作入力がなされると、該タッチパネル１６より押下された位置の座標が検出され、当該座標に係る信号がＣＰＵ２３に送出され、該ＣＰＵ２３は該座標に対応する所定の情報を取得し、該情報に基づいて所定の処理を実行する。
【００４０】
レンズ部１を介して被写体光が入射すると、撮像素子１２は被写体光を撮像し、光電変換し、アナログの画像信号を出力する。このとき、モータドライバ２１は、ＣＰＵ２３の制御に基づきアクチュエータ２０を駆動する。この駆動により、レンズ部１１は、撮像装置の筐体から露出／収納される。また、この駆動により、レンズ部１１を構成する絞りの調整や、レンズ部１１を構成するフォーカスレンズの移動が行われる。
【００４１】
さらに、タイミングジェネレータ２２は、ＣＰＵ２３の制御に基づいて、タイミング信号を撮像素子１２に供給する。このタイミング信号により撮像素子１２における露出時間等が制御される。撮像素子１２は、このタイミングジェネレータ２２から供給されるタイミング信号に基づいて動作することにより、レンズ部１を介して入射する被写体からの光を受光して光電変換を行い、受光量に応じた電気信号としてのアナログの画像信号を、アナログ信号処理部１３に供給する。アナログ信号処理部１３は、ＣＰＵ２３の制御に基づいて、撮像素子１２から送出されたアナログの画像信号に対してアナログ信号処理（増幅等）を行い、その結果得られる画像信号を、Ａ／Ｄ変換部１４に供給する。
【００４２】
その後、Ａ／Ｄ変換部１４は、ＣＰＵ２３の制御に基づいて、アナログ信号処理部１３からのアナログの画像信号をＡ／Ｄ変換し、その結果得られるディジタルの画像データをディジタル信号処理部１５に供給することになる。ディジタル信号処理部１５は、ＣＰＵ２３の制御に基づいてＡ／Ｄ変換部１４からのディジタルの画像信号に対し、ノイズ除去処理等のディジタル信号処理を施し、液晶パネル１７に供給して表示させる。
【００４３】
ディジタル信号処理部１５は、Ａ／Ｄ変換部１４からのディジタルの画像信号を、例えばＪＰＥＧ(Joint Photographic Experts Group)方式等で圧縮し、その結果、得られる圧縮されたディジタルの画像信号を、記録デバイス１９に供給して記録させる。
【００４４】
更に、ディジタル信号処理部１５は、記録デバイス１９に記録された圧縮された画像データを伸張し、その結果得られる画像データを液晶パネル１７に供給して表示させる。つまり、ディジタル信号処理部１５は、Ａ／Ｄ変換部１４からの画像データを、液晶パネル１７に供給し、これにより液晶パネル１１では所謂スルー画が表示される。その他、ディジタル信号処理部１５は、ＣＰＵ２３の制御に基づいて、フォーカスの制御に用いるフォーカス枠（ＡＦ枠）の画像を生成し、液晶パネル１７に供給して表示させる。
【００４５】
その後、ユーザが操作部２４に概念上含まれるシャッタボタンを押下すると、操作部２４からレリーズ信号がＣＰＵ２３に供給される。このようにして、レリーズ信号がＣＰＵ２３に供給されると、該ＣＰＵ２３はディジタル信号処理部１５を制御し、Ａ／Ｄ変換部１４からディジタル信号処理部１５に供給された画像データを圧縮させ、この圧縮された画像データを記録デバイス１９に記録させることになる。
【００４６】
この撮像装置は、ＡＦ機能を有している。この実施の形態では、撮像素子１２によって撮像された画像上にＡＦ枠が設定され、そのＡＦ枠の内部の画像に基づいてフォーカスが制御される。このＡＦ機能では、ＡＦ枠を、液晶パネル１７に表示された画像上の任意の位置に設定することができるようになっており、さらに、液晶パネル１７と一体的に構成されたタッチパネル１６に対する操作だけで、その位置やサイズ等の制御を行うことができるようになっている。ＡＦ処理は、ＣＰＵ２３がプログラムＲＯＭ２６のプログラムを読み出して実行することで実現される。
【００４７】
そして、特徴的なのは次の点である。即ち、ＣＰＵ２３は、プログラムＲＯＭ２６の制御プログラムを読み出して実行することで、所定の操作画面を液晶パネル１７に表示し更に各種設定を指標するアイコンを表示する。そして、タッチパネル１６がユーザにより操作されて、当該アイコンのうちの一つがタップされて選択されると、ＣＰＵ２３は、操作画面の選択されたアイコンとの相関が分かるような態様でサブメニューを表示し、該サブメニューの中から所望とする設定を選択するようにユーザに促す。こうして、ユーザによりタッチパネル１６が操作されて、このサブメニューの中から所望とする設定がタップされて選択されると、ＣＰＵ２３は、アイコンが指標する設定を切り替え、その後、サブメニューを消し、再び所定の操作画面を液晶パネル１７に表示する。
【００４８】
以上の処理により、操作画面に表示されているアイコンに対して直接的に操作入力をすれば、該アイコンが指標する機能に係る設定用のサブメニューが表示されるので、ユーザは、該サブメニューに表示された設定の中から所望とするものを選択するだけで、簡易且つ迅速にしかも正確に所望とする設定に変更（更新）することが可能となる。
【００４９】
これにより、単にユーザによる設定操作が簡易になるという効果のみならず、誤操作や誤設定を防止するという効果も生まれることになる。
【００５０】
次に、図３には本発明の第２の実施の形態に係る撮像装置の概観図を示し説明する。
【００５１】
図３（ａ）は該撮像装置の後方斜視図であり、図３（ｂ）は前方斜視図である。
【００５２】
撮像装置の前面はレンズカバーで覆われており、該前面のレンズカバー５７が下方に開かれると、レンズ部１１に概念上含まれる撮影レンズ５５とＡＦイルミネータ５６が露呈するように配置されている。このＡＦイルミネータ５６は、セルフタイマランプを兼ねている。撮像装置の上面には、ズームレバー（TELE/WIDE）５１とシャッタボタン５２、再生ボタン５３、パワーボタン５４が配置されている。更に、撮像装置の後面には、タッチスクリーン１８が設けられている。ズームレバー５１、シャッタボタン５２、再生ボタン５３、パワーボタン５４は、操作部２４に概念上含まれる。
【００５３】
以下、図４のフローチャートを参照して、本発明の第２の実施の形態に係る撮像装置による特徴的な処理について詳細に説明する。尚、以下の一連の処理は、第２の実施の形態に係る画像表示方法にも相当するものである。
【００５４】
さて、電源がオンされる等して、この処理を開始すると、ＣＰＵ２３は液晶パネル１７に所定の操作画面を表示し（ステップＳ１）、タッチパネル１６の操作入力により操作画面上のアイコンがユーザにより選択されたか否かを判断する（ステップＳ２）。
【００５５】
ここで、アイコンがタップされていなければ（ステップＳ２をＮｏに分岐）、ステップＳ１に戻り、上記処理を繰り返し、一方、アイコンがタップされた場合には（ステップＳ２をＹｅｓに分岐）、ＣＰＵ２３は当該アイコンに関わるサブメニューを液晶パネル１７上に表示する（ステップＳ３）。続いて、ＣＰＵ２３は、タッチパネル１６の任意位置がタップされて、サブメニューより一の設定項目が選択されたか否かを判断する（ステップＳ４）。ここで、一の設定項目が選択されていないと判断した場合には（ステップＳ４をＮｏに分岐）、上記ステップＳ３に戻り上記処理を繰り返すことになる。
【００５６】
一方、タッチパネル１６がタップされてサブメニューの中より一の設定が選択されたものと判断した場合には（ステップＳ４をＹｅｓに分岐）、ＣＰＵ２３は所定の設定（或いは更新）を行い（ステップＳ５）、サブメニューを非表示にした後（ステップＳ６）、電源がオフされたか否かを判断する（ステップＳ７）。ここで、ＣＰＵ２３は、電源がオフされていないと判断すれば（ステップＳ７をＮｏに分岐）、上記ステップＳ１に戻り、上記処理を繰り返し、その一方、電源オフされたと判断した場合には（ステップＳ７をＹｅｓに分岐）、一例の処理を終了することになる。
【００５７】
以上の処理によれば、図５に示した初期の操作画面２００において、アイコンのいずれかが選択されると、所定のサブメニューが表示され、詳細な設定が可能となる。
【００５８】
ここで、図５の操作画面２００には、アイコン２００ａ乃至２００ｅが表示されているが、以下、各アイコン２００ａ乃至２００ｅについて簡単に説明する。
【００５９】
先ず、アイコン２００ａは、画像サイズの設定を意味するアイコンであり、特に静止画画像サイズとしては、８Ｍ（３２６４×２４４８画素）、３：２（３２６４×２１７６画素）、５Ｍ（２５９２×１９４４画素）、３Ｍ（２０４８×１５３６画素）、ＶＧＡ（６４０×４８０画素）、１６：９（１９２０×１０８０画素）等を選択することができる。
【００６０】
アイコン２００ｂは、セルフタイマ設定に係るアイコンである。
【００６１】
アイコン２００ｃは、撮影モード設定に係るアイコンである。アイコン２００ｄは、フラッシュモード設定に係るアイコンである。そして、アイコン２００ｅは、マクロ／拡大鏡モード設定に係るアイコンである。ここでは、説明の簡略化のために、一部のアイコンのみを図示しており、図示されたアイコン群に限定されないことは勿論である。
【００６２】
尚、ここでは不図示となるが、アイコン２００ａに位置には、動画サイズの選択に係るアイコンを表示することもでき、その場合には動画サイズとして、ファイン（６４０×４８０画素；約３０枚）、スタンダード（６４０×４８０画素；約１７枚）、３２０（３２０×２４０画素；約８枚）等を選択することが可能となる。
【００６３】
この図５の操作画面２００において、例えば静止画画像サイズに係るアイコン２００ａがタップされ選択されると、図６に示されるような画面２０１にてサブメニュー２０１ｂが表示され、画像サイズとして前述したような各サイズの中から所望とするサイズを設定可能となる。
【００６４】
即ち、図６の画面２０１では、アイコン２０１ａとの関係が明確となるような態様でサブメニュー２０１ｂが表示され、該サブメニュー２０１ｂには、静止画画像サイズを示す、「８Ｍ」、「３：２」、「５Ｍ」、「３Ｍ」、「ＶＧＡ」、「１６：９」の各釦が選択自在に示される。タッチパネル１６上、これらのうちの一つがタップされると、選択された釦に関する説明がエリア２０１ｃに表示される。ここでは、一例として、ＶＧＡに関わる説明として「Ｅメール添付に適した小さいサイズで、撮影します」が表示される。更に選択されたサイズに設定された場合の撮影可能枚数がエリア２０１ｄに表示される。ここでは、一例として、ＶＧＡに関わる「９９９９」が表示されている。
【００６５】
また、図５の操作画面２００において、例えばマクロ／拡大鏡モード設定に係るアイコン２００ｅがタップされ選択されると、図７に示されるような画面２０２にてサブメニュー２０２ｂが表示され、マクロ撮影（切）、マクロ撮影、拡大鏡モード撮影のいずれかを設定可能となる。
【００６６】
即ち、図７の画面２０２では、アイコン２０２ａとの関係が明確となるような態様でサブメニュー２０２ｂが表示され、該サブメニュー２０２ｂには、マクロ撮影（切）、マクロ撮影、拡大鏡モード撮影の各々を示す各釦が選択自在に示される。更にエリア２０２ｃには、選択された釦に関する説明が表示される。ここでは、一例としてマクロ撮影（切）に関わる説明「近い被写体もピンと合わせ」が表示されている。
【００６７】
また、図５の操作画面２００において、例えば、撮影モード設定に係るアイコン２００ｃが選択されると、図８に示されるような画面２０３にてサブメニュー２０３ｃが表示され、動作撮影（音声付動作撮影）、プログラムオート撮影、シーンセレクション（撮影状況に合致した設定で撮影）、撮影等のいずれかが設定可能となる。
【００６８】
即ち、図８の画面２０３では、アイコン２０３ａとの関係が明確となるような態様でサブメニュー２０３ｂが表示され、該サブメニュー２０３ｂの選択された釦に対応する更なるサブメニュー２０３ｃも表示される。ここでは、サブメニュー２０３ｂにおいて、シーンセレクション（ＳＣＮ）が選択された例を示しており、このＳＣＮの詳細な設定として、ソフトスナップモード、夜景＆人物モード、風景モード、夜景モードを選択するための各釦が更なるサブメニュー２０３ｃに選択自在に表示されている。更に、エリア２０３ｄには、選択された釦に関する説明が表示される。ここでは、一例として夜景＆人物モードに対応する「シャッタボタンを押して２秒後に撮影」が表示されている。
【００６９】
また、図５の操作画面２００では、画面下エリアには、アイコンを表示していなかったが、モードによっては当該領域にもアイコンを表示できる。
【００７０】
一例として、図９に示されるように、画面２０４の下エリアに表示されたアイコン２０４ａがタップされ選択された場合、サブメニュー２０４ｂが表示され、マルチＡＦ（画面全体を基準に自動ピント合わせ）、中央重点ＡＦ（画面中央付近の被写体に自動ピント合わせ）、スポットＡＦ（画面上の好きなところに測距枠を移動、ピント合わせ）、無限遠（予め設定した距離にピント合わせ）等のいずれかが選択可能となる。サブメニュー２０４ｂでは、これらに対応する釦が選択可能に表示されている。この場合も、エリア２０４ｃには、選択された釦に関わる説明が表示される。この例では、マルチＡＦに対応する「画面全体で自動ピント合わせを行います。」が表示されている。
【００７１】
このように、本発明の第２の実施の形態によれば、液晶パネル１７に表示されたアイコンを該液晶パネル１７と重畳して配設されたタッチパネル１６上でタップすると、該アイコンに関わる設定の為のサブメニューが迅速に表示され、該サブメニューの中から所望とする設定を釦をタップするだけで選択可能となる。
【００７２】
この点、従来であれば、先ず別途設けられた設定釦をタップして、設定メニューを表示し、該設定メニューで所望とする設定項目を選択してはじめて詳細な設定が可能となっていたが、第２の実施の形態に関わる撮像装置では、アイコンを直接的に選択すれば、直ちに該アイコンが指標する設定に移行できるのでユーザの利便性も向上し、誤操作及び誤入力の防止にも繋がることになる。
【００７３】
そもそも、デジタルカメラ等の撮像装置の操作になれていないユーザは、設定メニューにすら行きつかないこともあり、迅速な設定並びに設定変更が嘱望されていたが、第２の実施の形態に係る撮像装置では、上記サブメニューに合わせて説明エリアによる説明もなされるので、より迅速且つ的確な設定並びに設定変更（更新）が可能となる。
【００７４】
以上説明したように、本発明の第１及び第２の実施の形態によれば、操作画面に表示されているアイコンに対して直接的に操作入力をすれば、サブメニューが表示され、該サブメニューに表示された設定の中から所望とするものを選択するだけで簡易且つ迅速にしかも正確に所望とする設定に変更することが可能な画像表示装置、撮像装置、画像表示方法及びプログラムを提供することができる。
【００７５】
以上、本発明の一実施の形態について説明したが、本発明はこれに限定されることなくその趣旨を逸脱しない範囲で種々の改良・変更が可能である。
【００７６】
例えば、アイコンが選択（押下）されて、サブメニューを表示する際に、過去のユーザによる選択履歴を記憶しておき、当該ユーザの選択頻度に応じて、サブメニューの設定項目の配列順を工夫するようにしてもよい。或いは、他の設定との関係で、優先すべき他の設定について、サブメニュー表示時に色分けして表示するなどして、該設定を優先的に選択するように促すようにしてもよい。
【図面の簡単な説明】
【００７７】
【図１】本発明の第１の実施の形態に係る画像表示装置の概念図。
【図２】本発明の第２の実施の形態に係る撮像装置の構成を示す図
【図３】（ａ）は本発明の第２の実施の形態に係る撮像装置の後方斜視図、（ｂ）は本発明の第２の実施の形態に係る撮像装置の前方斜視図。
【図４】本発明の第２の実施の形態に係る撮像装置による特徴的な処理について詳細に説明するフローチャート。
【図５】本発明の第２の実施の形態に係る撮像装置による操作画面の一例を示す図。
【図６】画像サイズ変更に係るタッチスクリーンの表示例を示す図。
【図７】マクロ撮影設定に係るタッチスクリーンの表示例を示す図。
【図８】カメラモード変更に係るタッチスクリーンの表示例を示す図。
【図９】ＡＦ設定に係るタッチスクリーンの表示例を示す図。
【符号の説明】
【００７８】
１…制御部、２…制御プログラム、２ａ…アイコン表示機能、２ｂ…サブメニュー表示機能、２ｃ…主制御機能、３…操作入力部、４…記憶部、５…表示部、１１…レンズ部、１２…撮像素子、１３…アナログ信号処理部、１４…Ａ／Ｄ変換部、１５…ディジタル信号処理部、１６…タッチパネル、１７…液晶パネル、１８…タッチスクリーン、１９…記録デバイス、２０…アクチュエータ、２１…モータドライバ、２２…タイミングジェネレータ、２３…ＣＰＵ、２４…操作部、２５…ＥＥＰＲＯＭ、２６…プログラムＲＯＭ、２７…ＲＡＭ、１００…画面、１００ａ…アイコン、１０１…画面、１０１ａ…アイコン、１０１ｂ…サブメニュー
【図１】
2009010775.tif 000003
【図２】
2009010775.tif 000004
【図３】
2009010775.tif 000005
【図４】
2009010775.tif 000006
【図５】
2009010775.tif 000007
【図６】
2009010775.tif 000008
【図７】
2009010775.tif 000009
【図８】
2009010775.tif 000010
【図９】
2009010775.tif 000011